(57)【特許請求の範囲】
【請求項１】
記録時に複数の番組を含むトランスポートストリームから所定の番組を含む第１のトランスポートストリームを抽出する番組抽出手段と、
記録時に前記番組抽出手段の出力である前記第１のトランスポートストリームを記録し、モザイク画面の準備時に既に記録した前記第１のトランスポートストリームから各番組のトランスポートストリームを番組順に一定時間ごとに切り換えて読み出し後述する情報付加手段に送り前記情報付加手段の出力である第２のトランスポートストリームを記録し、モザイク画面の再生時に前記第２のトランスポートストリームを読み出す記録手段と、
モザイク画面の準備時に各番組毎に対応する表示位置を指定するための表示位置情報を前記記録手段の読出し出力である前記各番組のトランスポートストリームに前記一定時間ごとに同期して付加した第２のトランスポートストリームを作成する情報付加手段と、
モザイク画面の再生時に前記記録手段の出力である第２のトランスポートストリームから前記表示位置情報を抽出する情報抽出手段と、
モザイク画面の再生時に前記記録手段の出力である第２のトランスポートストリームを前記情報抽出手段の出力である表示位置情報に基いて前記複数の番組について最初の番組から最後の番組まで再生される番組に同期して番組順に表示位置を切り換えて表示させこの表示態様を連続的に繰り返すデジタル映像信号にデコードするデコード手段と、
を有する蓄積型情報受信装置。
【発明の詳細な説明】
【０００１】
【発明の属する技術分野】
本発明は、デジタル放送等により伝送されるトランスポートストリームを蓄積するための蓄積型情報受信装置に関するものである。
【０００２】
【従来の技術】
近年、画像のデジタル圧縮符号化技術および情報蓄積メディアが発達し、デジタル放送およびＤＳＭ（Digital Storage Media ）等において、デジタル圧縮画像復元装置を用いた各種機器が実用化され始めている。
【０００３】
上記の機器のうちデジタル放送等に用いられる従来の蓄積型情報受信装置としては、例えば、図９に示す蓄積型情報受信装置がある。図９は、従来の蓄積型情報受信装置の要部の構成を示すブロック図である。
【０００４】
図９に示す蓄積型情報受信装置では、伝送路復号装置１０は、ＬＮＢ（Low Noise Block downconverter ）から出力されるデジタル変調波１０００をトランスポートストリームの形態のデジタル信号に復元する。番組抽出装置２１は、多重されている複数の番組から所望の番組を選択するために、選択された番組を含むトランスポートストリームを抽出して出力する。記録装置２０は、選択された番組を含むトランスポートストリームを記録する。ビデオデコード装置２３は、番組抽出装置２１から出力されるトランスポートストリームからデジタル映像信号を復元する。メモリ装置２７は、ビデオデコード装置２３のローカルメモリとして動作し、復元されたデジタル映像信号が順次蓄積され、必要に応じて読み出される。デジタルビデオエンコード装置２５は、ビデオデコード装置２３から出力されるデジタル映像信号をエンコードしてＮＴＳＣ方式、ＰＡＬ方式等のアナログ映像信号１０１０を出力する。ＣＰＵ制御装置２６は、各装置の動作を制御する。
【０００５】
次に、上記のように構成された従来の蓄積型情報受信装置の動作について説明する。通常、記録装置２０へのトランスポートストリームの記録動作は、ＣＰＵ制御装置２６の制御に従い、番組抽出装置２１による抽出動作と連動し、選択された番組を含むトランスポートストリームが番組抽出装置２１から記録装置２０へと出力される。記録装置２０では、入力されたトランスポートストリームを順次記録する。このようにして、複数の番組を含むトランスポートストリームが記録装置２０へと蓄積される。
【０００６】
一方、番組再生時には、ＣＰＵ制御装置２６の制御に従い、記録装置２０内の所望の選択された番組を含むトランスポートストリームが番組抽出装置２１へ出力される。番組抽出装置２１、ビデオデコード装置２３およびデジタルビデオエンコード装置２５では、通常の放送波を受信している際と同様の動作が行われ、選択された番組のアナログ映像信号１０１０が出力される。
【０００７】
【発明が解決しようとする課題】
しかしながら、上記の従来の蓄積型情報受信装置では、記録装置２０内に複数の番組がトランスポートストリームの形態で単に記録されているため、記録装置２０内にどのような番組が記録されているかがわからず、複数の番組から所望の番組を容易に選択することができない。また、記録されている番組を再生しているとき、番組全体のどの部分が再生されているかを知ることができず、その番組の頭出し等を容易に行なうことができない。このように、従来の蓄積型情報受信装置では、記録されている番組の再生時の操作性が悪く、その改善が要望されている。
【０００８】
本発明の目的は、記録されている番組の再生時の操作性を向上することができる蓄積型情報受信装置を提供することである。
【０００９】
本発明の他の目的は、記録されている番組内容を容易に確認することができる蓄積型情報受信装置を提供することである。
【００１０】
本発明のさらに他の目的は、記録されている番組の頭出し等を容易に行うことができる蓄積型情報受信装置を提供することである。
【００１１】
【課題を解決するための手段】
（１）第１の発明
第１の発明に係る蓄積型情報受信装置は、複数の番組を含むトランスポートストリームから所定の番組を含むトランスポートストリームを抽出する番組抽出手段と、番組抽出手段により抽出されたトランスポートストリームを記録する記録手段と、記録手段に記録されているトランスポートストリームを用いて、記録手段に記録されているトランスポートストリームの各番組の映像を表示画面上の異なる位置に表示するための映像信号を作成する画面作成手段とを備えるものである。
【００１２】
第１の発明に係る蓄積型情報受信装置は、記録されているトランスポートストリームから各番組の映像を表示画面上の異なる位置に表示するための映像信号を作成しているので、この映像信号により番組ごとに異なる表示位置で各番組の映像を一覧表示することができる。したがって、記録されている番組内容を容易に確認することができ、記録されている番組の再生時の操作性を向上することができる。
【００１３】
（２）第２の発明
第２の発明に係る蓄積型情報受信装置は、第１の発明に係る蓄積型情報受信装置の構成において、画面作成手段は、記録手段に記録されているトランスポートストリームに対して番組ごとに異なる表示位置を指定するための表示位置情報を付加する情報付加手段と、情報付加手段により付加された表示位置情報を抽出する情報抽出手段と、記録手段に記録されているトランスポートストリームから番組抽出手段により抽出されたトランスポートストリームをデコードして映像信号を出力するデコード手段とを含み、デコード手段は、情報抽出手段により抽出された表示位置情報に応じて各番組の映像をモザイク画面上の異なる位置に表示するための映像信号を出力するものである。
【００１４】
この場合、記録されているトランスポートストリームに対して番組ごとに異なる表示位置を指定するための表示位置情報を付加し、この表示位置情報に応じて各番組の映像をモザイク画面上の異なる位置に表示するための映像信号を出力することができるので、この映像信号により番組ごとに異なる表示位置で各番組の映像をモザイク画面上に表示することができる。したがって、記録されている各番組の映像を一覧表示するモザイク画面を再生することができ、記録されている番組内容を容易に確認することができる。
【００１５】
（３）第３の発明
第３の発明に係る蓄積型情報受信装置は、第１の発明に係る蓄積型情報受信装置の構成において、画面作成手段は、記録手段に記録されているトランスポートストリームから番組抽出手段により抽出されたトランスポートストリームをデコードして映像信号を出力するデコード手段と、デコード手段から出力される映像信号から各番組の映像をモザイク画面上の異なる位置に静止画として表示するための静止画データを作成し、作成した静止画データを圧縮エンコードした圧縮静止画データを記録手段に記録させる静止画圧縮手段とを含み、デコード手段は、記録手段に記録されている圧縮静止画データをデコードし、各番組の映像をモザイク画面上の異なる位置に静止画として表示するための映像信号を出力するものである。
【００１６】
この場合、デコードされた映像信号から各番組の映像をモザイク画面上の異なる位置に静止画として表示するための静止画データを圧縮して記録した後、この圧縮静止画データをデコードし、各番組の映像をモザイク画面上の異なる位置に静止画として表示するための映像信号を出力しているので、この映像信号により番組ごとに異なる表示位置で各番組の静止画をモザイク画面上に表示することができる。したがって、記録されている各番組の静止画をモザイク画面上に表示することができ、記録されている番組内容を容易に確認することができる。
【００１７】
（４）第４の発明
第４の発明に係る蓄積型情報受信装置は、第３の発明に係る蓄積型情報受信装置の構成において、画面作成手段は、記録手段に記録されているトランスポートストリームから各番組の電子番組ガイド情報を抽出し、モザイク画面上の各番組の表示位置に当該番組の電子番組ガイド情報を表示するためのガイド画面データを作成して記録手段に記録させるガイド画面作成手段をさらに含み、デコード手段は、記録手段に記録されているガイド画面データを用いて、モザイク画面上の各番組の表示位置に当該番組の電子番組ガイド情報を重畳表示するための映像信号を出力するものである。
【００１８】
この場合、記録されているトランスポートストリームから各番組の電子番組ガイド情報を抽出し、モザイク画面上の各番組の表示位置に当該番組の電子番組ガイド情報を表示するためのガイド画面データを作成して記録した後、記録されているガイド画面データを用いて、モザイク画面上の各番組の表示位置に当該番組の電子番組ガイド情報を重畳表示するための映像信号を出力しているので、この映像信号により番組ごとに異なる表示位置で各番組の静止画および電子番組ガイド情報をモザイク画面上に表示することができる。したがって、各番組の静止画だけでなく、電子番組ガイド情報によっても各番組の内容を知ることができ、記録されている番組内容をより容易に確認することができる。
【００１９】
（５）第５の発明
第５の発明に係る蓄積型情報受信装置は、複数の番組を含むトランスポートストリームから所定の番組を含むトランスポートストリームを抽出する番組抽出手段と、番組抽出手段により抽出されたトランスポートストリームを記録する記録手段と、記録手段に記録されているトランスポートストリームから番組抽出手段により抽出されたトランスポートストリームのＰＣＲ値（プログラム時刻基準参照値）を抽出するＰＣＲ抽出手段と、ＰＣＲ抽出手段により抽出されたＰＣＲ値から各番組の経過時間を表す時間情報を作成する時間情報作成手段と、記録手段に記録されているトランスポートストリームから番組抽出手段により抽出されたトランスポートストリームをデコードして映像信号を出力するデコード手段とを備え、デコード手段は、記録手段に記録されている番組を再生するときに、再生している番組の映像上に時間情報作成手段により作成された時間情報を重畳表示するための映像信号を出力するものである。
【００２０】
第５の発明に係る蓄積型情報受信装置は、記録されている番組を再生するときに、再生している番組の映像上にＰＣＲ値から作成した時間情報を重畳表示するための映像信号を出力しているので、この映像信号により記録されている番組を再生する際に番組の経過時間等を容易に確認することができるとともに、番組全体のどの部分が再生されているかを容易に知ることができる。したがって、記録されている番組の頭出し等を容易に行うことができ、記録されている番組の再生時の操作性を向上することができる。
【００２１】
【発明の実施の形態】
以下、本発明に係る蓄積型情報受信装置の一例としてハードディスク内蔵型デジタル衛星放送受信機について説明する。
【００２２】
（第１の実施の形態）
まず、本発明の第１の実施の形態による蓄積型情報受信装置について図１および図２を参照しながら説明する。図１は、本発明の第１の実施の形態による蓄積型情報受信装置の要部の構成を示すブロック図である。
【００２３】
図１に示す蓄積型情報受信装置は、伝送路復号装置１００、記録装置２００、番組抽出装置２１０、付加情報多重装置２２０、ビデオデコード装置２３０、付加情報抽出装置２４０、デジタルビデオエンコード装置２５０、ＣＰＵ制御装置２６０、メモリ装置２７０および切り換えスイッチ２８０，２９０を備える。
【００２４】
伝送路復号装置１００は、ＢＳ（放送衛星）、ＣＳ（通信衛星）等から送信されるマイクロ波を低い周波数に変換するＬＮＢ（Low Noise Block downconverter ）から出力されるデジタル変調波１０００を受け、このデジタル変調波１０００に適合する復号処理等を行い、トランスポートストリームの形態のデジタル信号、例えば、ＭＰＥＧ２システムに規定されるトランスポートストリームに復元し、復元したトランスポートストリームを番組抽出装置２１０へ出力する。
【００２５】
番組抽出装置２１０は、伝送路復号装置１００から出力されるトランスポートストリームに多重されている複数の番組から所定の番組、例えばユーザーが選択した番組を含むトランスポートストリームを抽出し、そのまま再生する場合はビデオデコード装置２３０へ出力し、記録装置２００に記録する場合は切り換えスイッチ２８０へ出力する。
【００２６】
切り換えスイッチ２８０，２９０は、モザイク画面の準備時にはＡ側を接続して付加情報多重装置２２０と記録装置２００とを接続し、記録時および再生時にはＢ側を接続して番組抽出装置２１０と記録装置２００とを接続する。
【００２７】
記録装置２００は、通常はハードディスク等から構成され、記録時には番組抽出装置２１０から切り換えスイッチ２８０を介して出力される選択された番組を含むトランスポートストリームを記録し、再生時には記録したトランスポートストリームを切り換えスイッチ２９０を介して番組抽出装置２１０へ出力する。
【００２８】
また、記録装置２００は、モザイク画面の準備時には、切り換えスイッチ２９０を介してトランスポートストリームを付加情報多重装置２２０へ出力し、付加情報多重装置２２０によりモザイク画面の座標情報が多重されたトランスポートストリームを切り換えスイッチ２８０を介して入力され再び記録する。
【００２９】
付加情報多重装置２２０は、モザイク画面の準備時に、記録装置２００内に記録されたトランスポートストリームを読み出し、読み出したトランスポートストリームに各番組ごとに異なるモザイク画面の座標情報を多重し、記録装置２００へ出力する。付加情報抽出装置２４０は、記録装置２００内に記録されたトランスポートストリームから付加情報多重装置２２０により多重されたモザイク画面の座標情報を抽出し、ビデオデコード装置２３０に出力する。
【００３０】
ビデオデコード装置２３０は、番組抽出装置２１０から出力されるトランスポートストリームをデコードしてデジタル映像信号に復元するとともに、必要に応じてオンスクリーン合成を行う。メモリ装置２７０は、ビデオデコード装置２３０のローカルメモリとして動作し、ビデオデコード装置２３０により復元されたデジタル映像信号を順次蓄積し、必要に応じて蓄積されたデジタル映像信号がビデオデコード装置２３０により読み出される。
【００３１】
デジタルビデオエンコード装置２５０は、ビデオデコード装置２３０から出力されるデジタル映像信号をエンコードしてＮＴＳＣ方式、ＰＡＬ方式等の所定の方式のアナログ映像信号１０１０に変換し、表示装置（図示省略）へ出力する。ＣＰＵ制御装置２６は、各装置の動作を制御する。
【００３２】
本実施の形態では、番組抽出装置２１０が番組抽出手段に相当し、記録装置２００が記録手段に相当し、付加情報多重装置２２０、ビデオデコード装置２３０および付加情報抽出装置２４０が画面作成手段に相当する。また、付加情報多重装置２２０が情報付加手段に相当し、ビデオデコード装置２３０がデコード手段に相当し、付加情報抽出装置２４０が情報抽出手段に相当する。
【００３３】
次に、上記のように構成された蓄積型情報受信装置の動作について説明する。
まず、通常の記録および再生動作について説明する。ＬＮＢから出力されるデジタル変調波１０００は、伝送路復号装置１００によりトランスポートストリームの形態のデジタル信号に復元される。番組抽出装置２１０は、ＣＰＵ制御装置２６の制御に従い、トランスポートストリームに多重されている複数の番組から選択された番組を含むトランスポートストリームを抽出し、切り換えスイッチ２８０へ出力する。切り換えスイッチ２８０へ出力されたトランスポートストリームは、記録装置２００内に順次記録される。このような記録動作が繰り返されることにより、複数の番組がトランスポートストリームの形態で記録装置２００に蓄積される。
【００３４】
再生時には、ＣＰＵ制御装置２６の制御に従い、番組抽出装置２１０により選択された番組を含むトランスポートストリームが記録装置２００から読み出され、切り換えスイッチ２９０を介して番組抽出装置２１０へ出力される。番組抽出装置２１０へ出力されたトランスポートストリームは、ビデオデコード装置２３０およびデジタルビデオエンコード装置２５０へ順次出力され、通常の放送波を受信して再生する場合と同様にデコード等の処理が行われ、選択された番組のアナログ映像信号１０１０が復元される。復元された映像信号１０１０は、表示装置へ出力され、選択された番組が表示される。
【００３５】
次に、記録装置２００内に記録されている各番組の映像を動画像で一覧表示するモザイク画面の準備時および再生時の動作について説明する。図２は、図１に示す蓄積型情報受信装置のモザイク画面の準備時および再生時の動作の一例を説明するためのタイミング図である。なお、以下の説明では、モザイク画面の準備時および再生時の動作の一例として、既に番組１から番組４までの４種類の番組が記録装置２００内に記録されている場合について説明するが、他の数の番組が記録されている場合も以下と同様である。
【００３６】
まず、ＣＰＵ制御装置２６０によりモザイク画面の準備が開始されると、切り換えスイッチ２８０，２９０はＡ側を接続する。このとき、図２の（ａ）に示すように、記録装置２００の出力信号１０３０として、一定時間ごとに記録装置２００内の各番組のトランスポートストリームが番組１、番組２、…と順に読み出される。ここで、各番組のトランスポートストリームの切り換え時間は、動画特性を損なわないようにするため、通常は１フレーム期間以上で比較的短期間であることが望ましい。
【００３７】
次に、図２の（ａ）に示すように、付加情報多重装置２２０の出力信号１０２０として、番組１に対してはモザイク画面の座標情報（０，０）、番組２に対しては座標情報（１，０）というように、記録されているすべての番組について番組ごとに順に表示位置をずらせた座標情報が各番組のトランスポートストリームに多重されて出力される。具体的には、実際に番組が含まれるトランスポートストリーム中に特定の多重領域を設け、この多重領域に座標情報を記録する。モザイク画面の座標情報が多重されたトランスポートストリームは、切り換えスイッチ２８０を介して記録装置２００へ出力され、再度記録される。
【００３８】
なお、上記のモザイク画面の座標情報の多重処理は、上記の例に特に限定されず、記録装置２００内に別途多重情報領域を設定し、モザイク画面の再生時に多重情報領域内のモザイク画面の座標情報と該当する番組のトランスポートストリームとをＣＰＵ制御装置２６０等により同期再生することにより実現してもよい。
【００３９】
次に、モザイク画面の再生時の動作について説明する。上記のモザイク画面の準備時の動作が終了した後、ＣＰＵ制御装置２６０によりモザイク画面の再生動作が開始されると、切り換えスイッチ２８０，２９０はＢ側を接続する。このとき、図２の（ｂ）に示すように、記録装置２００の出力信号１０３０として、モザイク画面の座標情報が多重された各番組のトランスポートストリームが順次読み出され、番組抽出装置２１０および付加情報抽出装置２４０へ出力される。ここで、付加情報抽出装置２４０へ出力されたトランスポートストリームからモザイク画面の座標情報が抽出され、付加情報抽出装置２４０の出力信号１０４０としてビデオデコード装置２３０へ出力される。
【００４０】
番組抽出装置２１０へ出力されたトランスポートストリームは、ビデオデコード装置２３０へ出力され、ビデオデコード装置２３０によりデコードされる。このとき、ビデオデコード装置２３０は、抽出された座標情報に応じて番組ごとにその表示位置を切り換え、例えば、番組１の再生時には座標（０，０）、番組２の再生時には座標（１，０）というように、再生される番組に同期してモザイク画面上の表示位置を切り換え、図２の（ｂ）に示すようなモザイク画面を表示するためのデジタル映像信号を出力する。このデジタル映像信号がデジタルビデオエンコード装置２５０により表示装置の表示方式に適合するアナログ映像信号１０１０へ変換され、表示装置へ出力される。
【００４１】
上記のモザイク画面の準備動作および再生動作を連続的に繰り返すことにより、モザイク画面上に各番組の内容を動画像で一覧表示するための映像信号を出力することができる。
【００４２】
上記のように、本実施の形態では、記録装置２００に記録されているトランスポートストリームに対して番組ごとに異なる座標情報を多重化し、この座標情報に応じて各番組の映像をモザイク画面上の異なる位置に表示するための映像信号を出力している。したがって、この映像信号により番組ごとに異なる表示位置で各番組の映像をモザイク画面上に動画像で一覧表示することができるので、記録装置２００に記録されている番組内容を容易に確認することができる。
【００４３】
（第２の実施の形態）
次に、本発明の第２の実施の形態による蓄積型情報受信装置について図３および図４を参照して説明する。図３は、本発明の第２の実施の形態による蓄積型情報受信装置の要部の構成を示すブロック図である。
【００４４】
図３に示す蓄積型情報受信装置と図１に示す蓄積型情報受信装置とで異なる点は、付加情報多重装置２２０、付加情報抽出装置２４０および切り換えスイッチ２８０，２９０が省略され、記録装置２００Ａとメモリ装置２７０Ａとの間に圧縮画像エンコード装置３００が付加された点であり、その他の点は図１に示す蓄積型情報抽出装置と同様であるので同一部分には同一符号を付し、以下異なる点のみ詳細に説明する。
【００４５】
メモリ装置２７０Ａは、ビデオデコード装置２３０Ａから出力されるデジタル映像信号から各番組の１フレーム分の静止画を展開し、圧縮画像エンコード装置３００へ出力する。
【００４６】
圧縮画像エンコード装置３００は、メモリ装置２７０Ａにより展開された各番組の静止画を縮小配置した一枚のモザイク画にまとめて圧縮エンコードし、記録装置２００Ａへ出力する。
【００４７】
記録装置２００Ａは、圧縮エンコードされたモザイク画を所定の領域に記録し、ＣＰＵ制御装置２０６の制御に従い、番組抽出装置２１０へ出力する。
【００４８】
本実施の形態では、記録装置２００Ａが記録手段に相当し、ビデオデコード装置２３０Ａ、メモリ装置２７０Ａおよび圧縮画像エンコード装置３００が画面作成手段に相当し、メモリ装置２７０Ａおよび圧縮画像エンコード装置３００が静止画圧縮手段に相当し、ビデオデコード装置２３０Ａがデコード手段に相当し、その他の点は第１の実施の形態と同様である。
【００４９】
次に、上記のように構成された蓄積型情報受信装置の動作について説明する。なお、通常の記録および再生時の動作は、図１に示す蓄積型情報受信装置と同様であるので、記録装置２００内に記録されている各番組の映像を静止画で一覧表示するモザイク画面の準備時および再生時の動作について以下に説明する。図４は、図３に示す蓄積型情報受信装置のモザイク画面の準備時の動作を説明するためのタイミング図である。
【００５０】
まず、モザイク画面の準備時、図４に示すように、ＣＰＵ制御装置２６０の制御に従い、例えば、番組１、番組２、…というように複数の番組のトランスポートストリームが、記録装置２００Ａから番組抽出装置２１０を介してビデオデコード装置２３０Ａへ順次入力される。各番組のトランスポートストリームは、ビデオデコード装置２３０Ａによりデコードされてデジタル映像信号に復元される。復元されたデジタル映像信号から、各番組の１フレーム分の静止画データがメモリ装置２７０Ａにより展開され、圧縮画像エンコード装置３００へ出力される。なお、図４において、ビデオデコード装置２３０Ａに入力される各番組に対して１フレーム分の静止画データが得られるタイミングが番組ごとに異なるのは、Ｉピクチュア（Intra-coded picture ）を得るための時間差があるためである。
【００５１】
各番組の１フレーム分の静止画データは、図４に示すように、圧縮画像エンコード装置３００により、モザイク画面上に縮小配置され一枚のモザイク画面にまとめられる。この静止画データがさらに圧縮エンコードされて記録装置２００へ出力される。圧縮エンコードされた圧縮静止画データは、記録装置２００内に保存される。
【００５２】
次に、モザイク画面の再生時、圧縮静止画データは、ＣＰＵ制御装置２６０の制御に従い、番組抽出装置２１０を介してビデオデコード装置２３０Ａへ出力される。ビデオデコード装置２３０Ａは、圧縮エンコードされている圧縮静止画データをデコードし、モザイク画面を表示するためのデジタル映像信号を出力する。このデジタル映像信号がデジタルビデオエンコード装置２５０により表示装置の表示方式に適合するアナログ映像信号１０１０へ変換されて表示装置へ出力され、各番組の静止画を一覧表示するモザイク画面が表示される。
【００５３】
上記のように、本実施の形態では、メモリ装置２７０Ａおよび圧縮画像エンコード装置３００により、デコードされたデジタル映像信号から各番組の映像をモザイク画面上の異なる位置に静止画として表示するための静止画データを圧縮して記録した後、ビデオデコード装置２３０Ａにより、この圧縮静止画データをデコードし、各番組の映像をモザイク画面上の異なる位置に静止画として表示するための映像信号を出力している。したがって、この映像信号により番組ごとに異なる表示位置で各番組の静止画をモザイク画面上に表示することができる。この結果、記録装置２００Ａ内に記録されている各番組の静止画を一覧表示するモザイク画面を表示することができ、記録されている番組内容を容易に確認することができる。
【００５４】
なお、上記の説明では、モザイク画面の圧縮エンコードをハードウエアにより行なう構成を示したが、番組内容を示すモザイク画面の準備は高速に行なう必要がないため、ソフトウエアによる構成も可能である。
【００５５】
（第３の実施の形態）
次に、本発明の第３の実施の形態による蓄積型情報受信装置について図５および図６を参照して説明する。図５は、本発明の第３の実施の形態による蓄積型情報受信装置の要部の構成を示すブロック図である。
【００５６】
図５に示す蓄積型情報受信装置と図３に示す蓄積型情報受信装置とで異なる点は、ＥＰＧ再生成装置３１０が付加された点であり、その他の点は図１に示す蓄積型情報抽出装置と同様であるので同一部分には同一符号を付し、以下異なる点のみ詳細に説明する。
【００５７】
図３に示すＥＰＧ再生成装置３１０は、圧縮画像エンコード装置３００が生成したモザイク画面の各番組の静止画の表示位置に該当する番組のＥＰＧ（Electronic Program Guide：電子番組ガイド）情報を表示するため、ＥＰＧ情報の抽出および表示位置の設定等を行う。
【００５８】
本実施の形態では、記録装置２００Ｂが記録手段に相当し、ビデオデコード装置２３０Ｂ、メモリ装置２７０Ａ、圧縮画像エンコード装置３００およびＥＰＧ再生成装置３１０が画面作成手段に相当し、ＥＰＧ再生成装置３１０がガイド画面作成手段に相当し、ビデオデコード装置２３０Ｂがデコード手段に相当し、その他の点は第２の実施の形態と同様である。
【００５９】
次に、上記のように構成された蓄積型情報受信装置の動作について説明する。なお、通常の記録および再生時の動作は、図１に示す蓄積型情報受信装置と同様であるので、モザイク画面の準備時および再生時の動作について以下に説明するが、ビデオデコード装置２３０Ｂ、圧縮画像エンコード装置３００等を用いて、モザイク画面が作成され記録装置２００Ｂに記録されるまでは、第２の実施の形態と同様であるので、ここではその説明を省略する。図６は、図５に示す蓄積型情報受信装置のＥＰＧ画面およびモザイク画面を示す図である。
【００６０】
まず、ＥＰＧ再生成装置３１０により記録装置２００Ｂに記録されているトランスポートストリームが読み出され、トランスポートストリーム内の各番組のＥＰＧ情報が抽出される。ＥＰＧ再生成装置３１０は、抽出されたＥＰＧ情報を再生成し、図６の（ａ）に示すように、図６の（ｂ）に示すモザイク画面の各番組の表示位置に該当する番組のＥＰＧ情報を表示するためのＥＰＧ画面データを作成し、記録装置２００内に保存する。なお、ＥＰＧ画面データは、モザイク画面と同様に圧縮エンコードして記録装置２００Ｂ内に保存し、再生時にビデオデコード装置２３０Ｂによりデコードするようにしてもよい。
【００６１】
番組一覧のモザイク画面を再生するときには、このＥＰＧ画面データが記録装置２００Ｂから読み出され、番組抽出装置２１０を介してビデオデコード装置２３０Ｂへ出力される。ビデオデコード装置２３０Ｂは、静止画が一覧表示されたモザイク画面にＥＰＧ画面をオンスクリーン表示するためのデジタル映像信号を作成してデジタルビデオエンコード装置２５０へ出力する。このデジタル映像信号がデジタルビデオエンコード装置２５０により表示装置の表示方式に適合するアナログ映像信号１０１０へ変換されて表示装置へ出力され、図６の（ｂ）に示す各番組の静止画を一覧表示するモザイク画面の上に図６の（ｂ）に示す各番組のＥＰＧ情報を一覧表示するＥＰＧ画面がオンスクリーン表示される。
【００６２】
上記のように、本実施の形態では、番組ごとに異なる表示位置で各番組の静止画およびＥＰＧ情報をモザイク画面上に重畳表示する映像信号を出力することができるので、各番組の静止画だけでなく、文字情報により番組説明等を行う電子番組ガイド情報によっても記録装置２００Ｂ内に記録されている各番組の内容を知ることができ、記録されている番組内容をより容易に確認することができる。
【００６３】
（第４の実施の形態）
次に、本発明の第４の実施の形態による蓄積型情報受信装置について図７および図８を参照して説明する。図７は、本発明の第４の実施の形態による蓄積型情報受信装置の要部の構成を示すブロック図である。
【００６４】
図７に示す蓄積型情報受信装置と図１に示す蓄積型情報受信装置とで異なる点は、付加情報多重装置２２０、付加情報抽出装置２４０および切り換えスイッチ２８０，２９０が省略され、ＰＣＲ抽出装置４００および演算装置４１０が付加された点であり、その他の点は図１に示す蓄積型情報抽出装置と同様であるので同一部分には同一符号を付し、以下異なる点のみ詳細に説明する。
【００６５】
ＭＰＥＧ２システムを用いたデジタル放送では、受信装置でのクロック再生のために、トランスポートストリーム中には４２ｂｉｔ構成のＰＣＲ（Program Clock Reference ：プログラム時刻基準参照値）が、１００ｍｓｅｃ以内の頻度で付加されている。ＰＣＲ抽出装置４００は、番組抽出装置２１０Ａにより抽出された番組のトランスポートストリーム中のＰＣＲ値を抽出し、演算装置４１０へ出力する。演算装置４１０は、ＰＣＲ抽出装置４００により抽出されたＰＣＲ値に対して除算、減算等の所定の演算処理を行ない、その結果をビデオデコード装置２３０Ｃへ出力する。
【００６６】
本実施の形態では、番組抽出装置２１０Ａが番組抽出手段に相当し、記録装置２００Ｃが記録手段に相当し、ＰＣＲ抽出装置４００がＰＣＲ抽出手段に相当し、演算手段４１０が時間情報作成手段に相当し、ビデオデコード装置２３０Ｃがデコード手段に相当する。
【００６７】
次に、上記のように構成された蓄積型情報受信装置の動作について説明する。なお、通常の記録および再生時の動作は、図１に示す蓄積型情報受信装置と同様であるので、時間情報作成動作について以下に説明する。図８は、図７に示す蓄積型情報受信装置の各番組の時間情報作成動作を説明するためのタイミング図である。
【００６８】
図８に示すように、ＰＣＲ抽出装置４００の出力４０００として、ＰＣＲ抽出装置４００により抽出されたＰＣＲ値が、Ｉ、Ｉ＋α、…というように順次演算装置４１０へ出力される。次に、演算装置４１０の出力４０１０として、抽出されたＰＣＲ値が比例定数Ｋが除算され、さらにオフセット値Ａが減算されたデータがビデオデコード装置２３０Ｃへ順次出力される。例えば、ＰＣＲ値が、５０００、５２５０、５５２０、５８５０、…と変化する場合に、Ｋ＝５００、Ａ＝１０とすると、演算装置４１０の出力４０１０は、０００、０００、００１、００１、…と変化する。
【００６９】
ここで、演算装置４１０で用いられる比例定数Ｋおよびオフセット値Ａは、ＣＰＵ制御装置２６０からの制御により番組の冒頭部で０００となるように設定され、また、ユーザからのリセット指示により０００となるように設定される。このように、演算装置４１０から出力される値は、従来のＶＴＲ（ビデオテープレコーダ）のテープカウンタ値のように番組冒頭部からの経過時間とともに変化する値であり、各番組の時間情報となる。
【００７０】
ビデオデコード装置２３０Ｃは、演算装置４１０から出力される時間情報を各番組の経過時間を表す情報としてオンスクリーン表示するためのデジタル映像信号を作成してデジタルビデオエンコード装置２５０へ出力する。このデジタル映像信号がデジタルビデオエンコード装置２５０により表示装置の表示方式に適合するアナログ映像信号１０１０へ変換されて表示装置へ出力され、各番組の映像に時間情報がオンスクリーン表示された画面が表示される。この結果、記録装置２００Ｃ内の番組再生時に容易に時間カウンタ表示を行なうことができ、記録した番組の頭出し等に使用することができる。
【００７１】
上記のように、本実施の形態では、記録装置２００Ｃ内に記録されている番組を再生するときに、再生している番組の映像上にＰＣＲ値から作成した時間情報を重畳表示するための映像信号を出力することができるので、この映像信号により記録されている番組を再生する際に番組の経過時間等を容易に確認することができるとともに、番組全体のどの部分が再生されているかを容易に知ることができる。したがって、記録装置２００Ｃ内に記録されている番組の頭出し等を容易に行うことができ、記録されている番組の再生時の操作性を向上することができる。
【００７２】
【発明の効果】
本発明によれば、記録されているトランスポートストリームから各番組の映像を番組ごとに異なる位置に表示するための映像信号を出力することができるので、この映像信号により番組ごとに異なる表示位置で各番組の映像を一覧表示することができる。したがって、記録されている番組内容を容易に確認することができ、記録されている番組の再生時の操作性を向上することができる。
【００７３】
また、記録されている番組を再生するときに、再生している番組の映像上にＰＣＲ値から作成した時間情報を表示するための映像信号を出力することができるので、この映像信号により番組全体のどの部分が再生されているかを知ることができる。したがって、記録されている番組の頭出し等を容易に行うことができ、記録されている番組の再生時の操作性を向上することができる。
【図面の簡単な説明】
【図１】本発明の第１の実施の形態による蓄積型情報受信装置の要部の構成を示すブロック図
【図２】図１に示す蓄積型情報受信装置のモザイク画面の準備時および再生時の動作を説明するためのタイミング図
【図３】本発明の第２の実施の形態による蓄積型情報受信装置の要部の構成を示すブロック図
【図４】図３に示す蓄積型情報受信装置のモザイク画面の準備時の動作を説明するためのタイミング図
【図５】本発明の第３の実施の形態による蓄積型情報受信装置の要部の構成を示すブロック図
【図６】図５に示す蓄積型情報受信装置のＥＰＧ画面およびモザイク画面を示す図
【図７】本発明の第４の実施の形態による蓄積型情報受信装置の要部の構成を示すブロック図
【図８】図７に示す蓄積型情報受信装置の各番組の時間情報作成動作を説明するためのタイミング図
【図９】従来の蓄積型情報受信装置の要部の構成を示すブロック図
【符号の説明】
１００  伝送路復号装置
２００，２００Ａ，２００Ｂ，２００Ｃ  記録装置
２１０，２１０Ａ  番組抽出装置
２２０  付加情報多重装置
２３０，２３０Ａ，２３０Ｂ，２３０Ｃ  ビデオデコード装置
２４０  付加情報抽出装置
２５０  デジタルビデオエンコード装置
２６０  ＣＰＵ制御装置
２７０，２７０Ａ  メモリ装置
２８０，２９０  切り換えスイッチ
３００  圧縮画像エンコード装置
３１０  ＥＰＧ再生成装置
４００  ＰＣＲ抽出装置
４１０  演算装置
【図１】
0004354590.tif 000002
【図２】
0004354590.tif 000003
【図３】
0004354590.tif 000004
【図４】
0004354590.tif 000005
【図５】
0004354590.tif 000006
【図６】
0004354590.tif 000007
【図７】
0004354590.tif 000008
【図８】
0004354590.tif 000009
【図９】
0004354590.tif 000010